【手続補正書】
【提出日】平成24年7月25日(2012.7.25)
【手続補正１】
【補正対象書類名】特許請求の範囲
【補正対象項目名】全文
【補正方法】変更
【補正の内容】
【特許請求の範囲】
【請求項１】
画像表示手段と画像記憶手段を有し、ネットワークに接続可能な画像表示装置であって、
撮像手段により撮像した画像から顔を認識する認識手段と、
前記認識手段により認識すべき顔画像を登録する顔画像登録手段と、
メール送受信手段と、
前記画像記憶手段内に、前記認識手段で認識した個人に対応するフォルダを作成するフォルダ作成手段と、
前記メール送受信手段のアドレス帳にアドレスと前記認識すべき顔画像とを対応づけて登録するアドレス帳登録手段と、
前記アドレスと前記個人に対応するフォルダを対応づける手段と、
画像を前記フォルダに格納する格納手段と、
を具備し、
前記格納手段は、前記メール送受信手段によりメールで受信した画像を、受信したアドレスと対応づけられているフォルダに格納することを特徴とする画像表示装置。
【請求項２】
画像表示手段と画像記憶手段を有する画像表示装置であって、
撮像手段により撮像した画像から顔を認識する認識手段と、
前記認識手段により認識すべき顔画像を登録する顔画像登録手段と、
前記画像記憶手段内に、前記認識手段で認識した個人に対応するフォルダを作成するフォルダ作成手段と、
操作者が画像を記憶させる操作を行うとき、前記認識手段により該操作者の顔を認識し、当該操作者の顔に対応するフォルダに画像を格納する格納手段と、
を備えることを特徴とする画像表示装置。
【請求項３】
請求項１または２記載の画像表示装置であって、
操作者が画像を表示させる操作を行うとき、前記認識手段により該操作者の顔を認識し、認識した顔に対応するフォルダに格納されている画像を再生可能とする表示制御手段を有していることを特徴とする画像表示装置。
【請求項４】
コンピュータに、
撮像した画像から顔を認識するステップと、
認識すべき顔画像を登録するステップと、
メールを送受信するステップと、
認識した個人に対応するフォルダを作成するステップと、
メールのアドレス帳にアドレスと前記認識すべき顔画像とを対応づけて登録するステップと、
前記アドレスと前記個人に対応するフォルダを対応づけるステップと、
メールで受信した画像を、受信したアドレスと対応づけられているフォルダに格納するステップと、を実行させることを特徴とするプログラム。
【請求項５】
コンピュータに、
撮像した画像から顔を認識するステップと、
認識すべき顔画像を登録するステップと、
認識した個人に対応するフォルダを作成するステップと、
操作者が画像を記憶させる操作を行うとき、該操作者の顔を認識し、当該操作者の顔に対応するフォルダに画像を格納するステップと、を実行させることを特徴とするプログラム。
【請求項６】
請求項４または５記載のプログラムであって、前記コンピュータは、
操作者が画像を表示させる操作を行うとき、該操作者の顔を認識し、認識した顔に対応するフォルダに格納されている画像を再生可能とするステップを実行させることを特徴とするプログラム。
【請求項７】
撮影手段と顔認識手段と記憶手段を備え、メモリ媒体を着脱可能な画像表示装置の画像記憶方法であって、
前記メモリ媒体の装着操作者の顔を前記撮像手段により撮影し、前記顔認識手段により認識し、その認識結果に応じた記憶領域へ該装着されたメモリ媒体に記憶された画像データを前記記憶手段へ取り込むことを特徴とする画像記憶方法。
【請求項８】
撮影手段と顔認識手段と記憶手段を備え、メモリ媒体を着脱可能な画像表示装置の画像記憶方法であって、
前記メモリ媒体の装着操作者の顔を前記撮像手段により撮影し、前記顔認識手段により認識し、その認識結果に応じて該装着されたメモリ媒体に記憶された画像データを分類して前記記憶手段へ取り込むことを特徴とする画像記憶方法。
【請求項９】
請求項７または８記載の画像記憶方法であって、操作者が画像を表示させる操作を行うとき、該操作者の顔を認識し、認識した顔に対応するフォルダに格納されている画像を再生可能とすることを特徴とする画像記憶方法。
【請求項１０】
請求項３記載の画像表示装置であって、
前記フォルダにシークレットコードを設定する手段を更に備え、前記表示制御手段は該シークレットコードが設定されているフォルダに格納されている画像は再生不能とすることを特徴とする画像表示装置。
【請求項１１】
請求項１ないし３いずれか記載の画像表示装置であって、
前記フォルダ作成手段は、所定の分類に応じたサブフォルダを作成することを特徴とする画像表示装置。
【請求項１２】
請求項１ないし３いずれか記載の画像表示装置であって、
該画像表示装置は更にメモリ媒体を着脱可能であり、前記格納手段は、操作者が前記メモリ媒体から画像を記憶させる操作を行うとき、前記認識手段により該操作者の顔を認識し、当該操作者の顔に対応するフォルダに前記メモリ媒体から画像を格納することを特徴とする画像表示装置。
【手続補正２】
【補正対象書類名】明細書
【補正対象項目名】００１１
【補正方法】変更
【補正の内容】
【００１１】
前記課題を解決するため、請求項１記載の発明では、画像表示手段と画像記憶手段を有し、ネットワークに接続可能な画像表示装置であって、撮像手段により撮像した画像から顔を認識する認識手段と、前記認識手段により認識すべき顔画像を登録する顔画像登録手段と、メール送受信手段と、前記画像記憶手段内に、前記認識手段で認識した個人に対応するフォルダを作成するフォルダ作成手段と、前記メール送受信手段のアドレス帳にアドレスと前記認識すべき顔画像とを対応づけて登録するアドレス帳登録手段と、前記アドレスと前記個人に対応するフォルダを対応づける手段と、画像を前記フォルダに格納する格納手段と、を具備し、前記格納手段は、前記メール送受信手段によりメールで受信した画像を、受信したアドレスと対応づけられているフォルダに格納することを特徴とする画像表示装置を提供するものである。
【手続補正３】
【補正対象書類名】明細書
【補正対象項目名】００１２
【補正方法】変更
【補正の内容】
【００１２】
また、請求項２記載の発明では、画像表示手段と画像記憶手段を有する画像表示装置であって、撮像手段により撮像した画像から顔を認識する認識手段と、前記認識手段により認識すべき顔画像を登録する顔画像登録手段と、前記画像記憶手段内に、前記認識手段で認識した個人に対応するフォルダを作成するフォルダ作成手段と、操作者が画像を記憶させる操作を行うとき、前記認識手段により該操作者の顔を認識し、当該操作者の顔に対応するフォルダに画像を格納する格納手段と、を備えることを特徴とする画像表示装置を提供するものである。
【手続補正４】
【補正対象書類名】明細書
【補正対象項目名】００１３
【補正方法】変更
【補正の内容】
【００１３】
また、請求項３記載の発明では、請求項１または２記載の画像表示装置であって、操作者が画像を表示させる操作を行うとき、前記認識手段により該操作者の顔を認識し、認識した顔に対応するフォルダに格納されている画像を再生可能とする表示制御手段を有していることを特徴とする画像表示装置を提供するものである。
【手続補正５】
【補正対象書類名】明細書
【補正対象項目名】００１４
【補正方法】変更
【補正の内容】
【００１４】
また、請求項４記載の発明では、コンピュータに、撮像した画像から顔を認識するステップと、認識すべき顔画像を登録するステップと、メールを送受信するステップと、認識した個人に対応するフォルダを作成するステップと、メールのアドレス帳にアドレスと前記認識すべき顔画像とを対応づけて登録するステップと、前記アドレスと前記個人に対応するフォルダを対応づけるステップと、メールで受信した画像を、受信したアドレスと対応づけられているフォルダに格納するステップと、を実行させることを特徴とするプログラムを提供するものである。
【手続補正６】
【補正対象書類名】明細書
【補正対象項目名】００１５
【補正方法】変更
【補正の内容】
【００１５】
また、請求項５記載の発明では、コンピュータに、撮像した画像から顔を認識するステップと、認識すべき顔画像を登録するステップと、認識した個人に対応するフォルダを作成するステップと、操作者が画像を記憶させる操作を行うとき、該操作者の顔を認識し、当該操作者の顔に対応するフォルダに画像を格納するステップと、を実行させることを特徴とするプログラムを提供するものである。
【手続補正７】
【補正対象書類名】明細書
【補正対象項目名】００１６
【補正方法】変更
【補正の内容】
【００１６】
また、請求項６記載の発明では、請求項４または５記載のプログラムであって、前記コンピュータは、操作者が画像を表示させる操作を行うとき、該操作者の顔を認識し、認識した顔に対応するフォルダに格納されている画像を再生可能とするステップを実行させることを特徴とするプログラムを提供するものである。
【手続補正８】
【補正対象書類名】明細書
【補正対象項目名】００１７
【補正方法】変更
【補正の内容】
【００１７】
また、請求項７記載の発明では、撮影手段と顔認識手段と記憶手段を備え、メモリ媒体を着脱可能な画像表示装置の画像記憶方法であって、前記メモリ媒体の装着操作者の顔を前記撮像手段により撮影し、前記顔認識手段により認識し、その認識結果に応じた記憶領域へ該装着されたメモリ媒体に記憶された画像データを前記記憶手段へ取り込むことを特徴とする画像記憶方法を提供するものである。
また、請求項８記載の発明では、撮影手段と顔認識手段と記憶手段を備え、メモリ媒体を着脱可能な画像表示装置の画像記憶方法であって、前記メモリ媒体の装着操作者の顔を前記撮像手段により撮影し、前記顔認識手段により認識し、その認識結果に応じて該装着されたメモリ媒体に記憶された画像データを分類して前記記憶手段へ取り込むことを特徴とする画像記憶方法を提供するものである。
【手続補正９】
【補正対象書類名】明細書
【補正対象項目名】００１８
【補正方法】変更
【補正の内容】
【００１８】
また、請求項９記載の発明では、請求項７または８記載の画像記憶方法であって、操作者が画像を表示させる操作を行うとき、該操作者の顔を認識し、認識した顔に対応するフォルダに格納されている画像を再生可能とすることを特徴とする画像記憶方法を提供するものである。
また、請求項１０記載の発明では、請求項３記載の画像表示装置であって、前記フォルダにシークレットコードを設定する手段を更に備え、前記表示制御手段は該シークレットコードが設定されているフォルダに格納されている画像は再生不能とすることを特徴とする画像表示装置を提供するものである。
また、請求項１１記載の発明では、請求項１ないし３いずれか記載の画像表示装置であって、前記フォルダ作成手段は、所定の分類に応じたサブフォルダを作成することを特徴とする画像表示装置を提供するものである。
また、請求項１２記載の発明では、請求項１ないし３いずれか記載の画像表示装置であって、該画像表示装置は更にメモリ媒体を着脱可能であり、前記格納手段は、操作者が前記メモリ媒体から画像を記憶させる操作を行うとき、前記認識手段により該操作者の顔を認識し、当該操作者の顔に対応するフォルダに前記メモリ媒体から画像を格納することを特徴とする画像表示装置を提供するものである。
【手続補正１０】
【補正対象書類名】明細書
【補正対象項目名】００２２
【補正方法】変更
【補正の内容】
【００２２】
以下、本発明の実施形態について説明する。図１は、本発明を適用した画像表示装置１を示す外観図である。画像表示装置１の正面には、本体２に保持された液晶表示パネル３によって構成される表示部が設けられている。この液晶表示パネル３にはタッチパネル５が一体的に構成されており、指でタッチすることにより操作可能となっている。本体２の前面上部左側には撮像素子８が設けられ、側面にはメモリカードスロット６が設けられている。更に、本体上部にＧＰＳアンテナ７，全面上部右側に人感センサ４が設けられている。
【手続補正１１】
【補正対象書類名】明細書
【補正対象項目名】００２６
【補正方法】変更
【補正の内容】
【００２６】
人感センサ４はＣＰＵ１１に接続され、近くに人がいるかどうかを検知するものである。従って、近くに人がいない状態が所定時間以上続くと自動的に電源を切って節電をはかる（オートパワーオフ）。
【手続補正１２】
【補正対象書類名】明細書
【補正対象項目名】００５９
【補正方法】変更
【補正の内容】
【００５９】
１    画像表示装置
２    本体
３    液晶表示パネル
４    人感センサ
５    タッチパネル
６    メモリカードスロット
７    ＧＰＳアンテナ
８    撮像素子
１１    ＣＰＵ
１２    ＲＯＭ
１３    ＲＡＭ
１４    内部メモリ
１６    表示制御部
１７    キー入力制御部
１８    メモリカードインターフェース
１９    撮像制御部
２０    ＧＰＳ制御部
３０    通信制御部
３３    アドレス帳
４０    バックアップサーバー
５０    配信コンテンツサーバー
６０    メモリカード
１００    顔認識エンジン
２００    絵画変換エンジン
【手続補正１３】
【補正対象書類名】図面
【補正対象項目名】図２
【補正方法】変更
【補正の内容】
【図２】
2012010211.tif 000001